(57)【要約】【課題】患者および医療機関にとって有用な情報を含む投薬情報を得ることのできる投薬情報作成装置を提供することを目的とする。【解決手段】患者に投与する薬剤に関する投薬情報を作成する投薬情報作成装置において、所定の患者に投与する薬剤の候補となる候補薬剤および用量を入力する投薬候補入力部５１０と、上記患者を診療する医療機関で取り扱う薬剤の少なくとも価格および効能を含む薬剤情報を記憶する薬剤情報記憶部５２０と、薬剤情報記憶部５２０に薬剤情報が記憶された薬剤の中から、投薬候補入力部５１０により入力された候補薬剤と同等の効能を有する薬剤を抽出する薬剤抽出部５３０と、薬剤抽出部５３０により抽出された薬剤のうちの、投薬候補入力部５１０で入力された候補薬剤の価格よりも安い価格の薬剤を、該候補薬剤に替わる候補として選択する薬剤選択部５４０とを備えた。【選択図】　図２
2004118663.tif 000002
【特許請求の範囲】
【請求項１】
患者に投与する薬剤に関する投薬情報を作成する投薬情報作成装置において、
所定の患者に投与する薬剤の候補となる候補薬剤および用量を入力する投薬候補入力部と、
前記患者を診療する医療機関で取り扱う薬剤の少なくとも価格および効能を含む薬剤情報を記憶する薬剤情報記憶部と、
前記薬剤情報記憶部に薬剤情報が記憶された薬剤の中から、前記投薬候補入力部により入力された候補薬剤と同等の効能を有する薬剤を抽出する薬剤抽出部と、
前記薬剤抽出部により抽出された薬剤のうちの、前記投薬候補入力部で入力された候補薬剤の価格よりも安い価格の薬剤を、該候補薬剤に替わる候補として選択する薬剤選択部とを備えたことを特徴とする投薬情報作成装置。
【請求項２】
前記薬剤情報記憶部が、薬剤の剤型をも含む薬剤情報を記憶するものであり、
前記薬剤抽出部は、薬剤を抽出するに当たり、前記投薬候補入力部により入力された候補薬剤と同等の効能を有するとともに、前記患者の希望する剤型と同じ剤型を有する薬剤を抽出するものであることを特徴とする請求項１記載の投薬情報作成装置
【請求項３】
前記薬剤情報記憶部に記憶された薬剤の在庫量を記憶する在庫量記憶部を備え、
前記薬剤選択部が、候補薬剤を選択するに当たり、価格と、前記在庫量記憶部に記憶された在庫量とに基づいて薬剤を選択するものであることを特徴とする請求項１記載の投薬情報作成装置。。
【発明の詳細な説明】
【０００１】
【発明の属する技術分野】
本発明は、患者に投与する薬剤に関する投薬情報を作成する投薬情報作成装置に関する。
【０００２】
【従来の技術】
従来、病院などの医療機関において、電子カルテシステムを中心とする病院情報システムが急速に普及しつつあるが、この病院情報システムに、クリニカルパス（Ｃｌｉｎｉｃａｌ　Ｐａｔｈ）の手法が取り入れられるようになりつつある。
【０００３】
このクリニカルパスは、「治療や看護の手順を標準化・最適化し，診療の効率化や均質化，コスト削減を図る手法」（デイリー新語辞典より）であり、国の施策の一環としても強力に推進されつつある。
【０００４】
しかし、クリニカルパスという考え方自体が最近の考え方であり、開発中のものであるため、現在は紙ベースのものが多く、システム化されているとしても紙ベースのものを単にコンピュータ上にのせたという程度のレベルにとどまるものがほとんどであり、実用上真に有効なクリニカルパスはまだ完成された状態とはいえない現状にある。
【０００５】
一般に、病院などで患者に処方される薬は、患者の症状に合った効能を有する複数の薬剤の中から医師により選択されるが、その効能に顕著な相違がない場合は処方する医師の過去の処方実績や好みなどによって選択されることが多い。しかし、薬剤は複数の薬品メーカによって製造されているため、同じ効能でも薬剤の価格は相違することが多い。しかし、医師が薬剤の価格まで考慮して処方することはほとんどなく、患者も薬剤の価格についての知識はないので、最初に処方された通りの薬剤が投与されることになる。
【０００６】
上記のクリニカルパスにはコスト管理や原価計算の要素が含まれているので、理想的なクリニカルパスが開発されれば、処方時にクリニカルパスの情報と薬剤の価格情報とをリンクさせることにより診療費の低減を計ることができ、患者にとっても病院にとっても極めて有益な結果がもたらされる。また、患者に薬剤の価格に関する情報を提示することにより、インフォームドコンセントという見地からも患者へのサービス向上を計ることができる。
【０００７】
このような問題に関連するものとして、例えば、患者に対して投薬情報を的確に伝えるための投薬データ管理装置が開示されている。（例えば、特許文献１参照。）。
【０００８】
【特許文献１】
特開平１１−５６９７２号公報（第１−７頁）
【０００９】
【発明が解決しようとする課題】
しかし、この投薬データ管理装置は、患者に投薬する薬の名称、容量、用法、及び効能を含む薬データをデータベースから取り出して印刷するものであり、患者に投薬情報を的確に伝えることはできるが、前述の問題に対する解決策として十分なものとはいえない。
【００１０】
例えば、この投薬データ管理装置では、薬剤の価格に関する情報を取り扱っていないため、患者および病院にとって有用な情報を十分に提供するものとは云いがたい。
【００１１】
本発明は、上記事情に鑑み、患者および医療機関にとって有用な情報を含む投薬情報を得ることのできる投薬情報作成装置を提供することを目的とする。
【００１２】
【課題を解決するための手段】
上記目的を達成する本発明の投薬情報作成装置は、
患者に投与する薬剤に関する投薬情報を作成する投薬情報作成装置において、所定の患者に投与する薬剤の候補となる候補薬剤および用量を入力する投薬候補入力部と、
上記患者を診療する医療機関で取り扱う薬剤の少なくとも価格および効能を含む薬剤情報を記憶する薬剤情報記憶部と、
上記薬剤情報記憶部に薬剤情報が記憶された薬剤の中から、上記投薬候補入力部により入力された候補薬剤と同等の効能を有する薬剤を抽出する薬剤抽出部と、
上記薬剤抽出部により抽出された薬剤のうちの、上記投薬候補入力部で入力された候補薬剤の価格よりも安い価格の薬剤を、該候補薬剤に替わる候補として選択する薬剤選択部とを備えたことを特徴とする。
【００１３】
本発明の投薬情報作成装置によれば、上記のように薬剤の価格および効能に基づいて、より安価な薬剤の候補が選択されるので、医師や患者にとって必要な、価格が考慮された薬剤の情報を得ることができ、医師は、その情報を参照して投薬情報を作成することができる。
【００１４】
ここで、上記薬剤情報記憶部が、薬剤の剤型をも含む薬剤情報を記憶するものであり、
上記薬剤抽出部は、薬剤を抽出するに当たり、上記投薬候補入力部により入力された候補薬剤と同等の効能を有するとともに、上記患者の希望する剤型と同じ剤型を有する薬剤を抽出するものであってもよい。
【００１５】
本発明の投薬情報作成装置をこのように構成した場合は、患者の希望する剤型の薬剤を投薬することができるので、患者の満足度を向上させることができる。
【００１６】
また、この投薬情報作成装置が上記薬剤情報記憶部に記憶された薬剤の在庫量を記憶する在庫量記憶部を備え、
上記薬剤選択部が、候補薬剤を選択するに当たり、価格と、上記在庫量記憶部に記憶された在庫量とに基づいて薬剤を選択するものであってもよい。
【００１７】
本発明の投薬情報作成装置をこのように構成した場合は、当該医療機関の在庫量をも加味した投薬情報を作成することができるので、医療機関の経営管理上も有効である。
【００１８】
【発明の実施の形態】
以下、本発明の実施形態について説明する。
【００１９】
図１は、本発明の投薬情報作成装置の一実施形態が運用されるコンピュータシステムの概要図である。
【００２０】
図１には、本発明の投薬情報作成装置の一実施形態が形成され、サーバマシンとして動作するコンピュータ１００と、コンピュータ１００による投薬情報作成に関連する各種の処理を行うクライアントマシンとしてのコンピュータ３００，３１０，３２０と、これらの各コンピュータを相互に接続するネットワーク１９０とからなるクライアントサーバシステムが示されている。
【００２１】
これらの各コンピュータのうちコンピュータ１００には、本発明の投薬情報作成装置の一実施形態が形成されるとともに、その投薬情報作成装置が設置される医療機関における電子カルテシステムや医事システムなどを含む病院情報システムが形成され、コンピュータ３００，３１０，３２０は、本実施形態の投薬情報作成装置の端末としての機能のほか、上記病院情報システムの端末としての機能を果たすように構成されている。
【００２２】
本実施形態の投薬情報作成装置が形成されるコンピュータ１００には、コンピュータ本体１０１、コンピュータ本体１０１から出力される画像情報を表示する表示装置１０２、操作者からの指示をコンピュータ本体１０１に伝えるためのキーボード１０３およびマウス１０４などが備えられている。また、コンピュータ本体１０１には、ＣＤ−ＲＯＭ挿入口１０１ａが設けられている。
【００２３】
このＣＤ−ＲＯＭ挿入口１０１ａに、本発明の投薬情報作成装置をコンピュータ上に形成するための投薬情報作成プログラムが記憶された投薬情報作成プログラム記憶媒体であるＣＤ−ＲＯＭ４００を挿入し、投薬情報作成プログラムをコンピュータ本体１０１にインストールすることにより、コンピュータ１００上に本実施形態の投薬情報作成装置が形成される。
【００２４】
本実施形態の投薬情報作成装置の端末および上記病院情報システムの端末としての機能を有するコンピュータ３００，３１０，３２０にも、同様に、コンピュータ本体３０１，３１１，３２１、表示装置３０２，３１２，３２２、キーボード３０３，３１３，３２３およびマウス３０４，３１４，３２４などが備えられている。
【００２５】
図２は、本発明の投薬情報作成装置の一実施形態を示す概略構成図である。
【００２６】
この実施形態の投薬情報作成装置５００は、患者に投与する薬剤に関する投薬情報を作成するものであり、図２に示すように、投薬候補入力部５１０と、薬剤情報記憶部５２０と、薬剤抽出部５３０と、薬剤選択部５４０とを備えている。
【００２７】
投薬候補入力部５１０は、所定の患者に投与する薬剤の候補となる候補薬剤および用量を入力するものであり、薬剤情報記憶部５２０は、上記患者を診療する医療機関で取り扱う薬剤の価格および効能を含む薬剤情報を記憶するものであり、薬剤抽出部５３０は、薬剤情報記憶部５２０に薬剤情報が記憶された薬剤の中から、投薬候補入力部５１０により入力された候補薬剤と同等の効能を有する薬剤を抽出するものであり、薬剤選択部５４０は、薬剤抽出部５３０により抽出された薬剤のうちの、投薬候補入力部５１０で入力された候補薬剤の価格よりも安い価格の薬剤を、該候補薬剤に替わる候補として選択するものである。
【００２８】
また、この実施形態の投薬情報作成装置５００では、上記薬剤情報記憶部５２０が、薬剤の剤型をも含む薬剤情報を記憶するものであり、かつ、薬剤抽出部５３０は、薬剤を抽出するに当たり、投薬候補入力部５１０により入力された候補薬剤と同等の効能を有するとともに、上記患者の希望する剤型と同じ剤型を有する薬剤を抽出するものであってもよい。
【００２９】
さらに、この実施形態の投薬情報作成装置５００には、在庫量記憶部５５０が備えられている。
【００３０】
この在庫量記憶部５５０は、薬剤情報記憶部５２０に記憶された薬剤の在庫量を記憶するものであり、かつ、薬剤選択部５４０は、薬剤を選択するに当たり、価格と、在庫量記憶部５５０に記憶された在庫量とに基づいて薬剤を選択するものである。
【００３１】
また、この実施形態の投薬情報作成装置５００には、投薬情報作成部５６０が備えられている。
【００３２】
この投薬情報作成部５６０は、操作に応じて、薬剤選択部５４０により選択された薬剤のうち上記患者に投与する薬剤を決定し、決定した薬剤に基づき、その患者に投与する薬剤に関する投薬情報を作成するものである。
【００３３】
以下に、本実施形態の投薬情報作成装置の動作について説明する。
【００３４】
図３は、本実施形態の投薬情報作成装置を含む病院情報システムの全体図である。
【００３５】
図３には、医療機関に設置される病院情報システム全体が示されている。すなわち、この病院情報システムには、本実施形態の投薬情報作成装置のほかに、電子カルテシステム、医事システムなどの各システムと、患者マスタ８０１、薬剤マスタ８０２、在庫マスタ８０３、希望剤型マスタ８０４、診療情報マスタ８０５などの各マスタとが備えられている。
【００３６】
この病院情報システムが形成されるコンピュータ１００は、ネットワーク１９０を介して本実施形態の投薬情報作成装置の端末として動作するコンピュータ３００，３１０，３２０，…に接続されている。
【００３７】
図４は、本実施形態の投薬情報作成装置に用いられる患者マスタのファイル構造を示す図である。
【００３８】
図４に示すように、この患者マスタ８０１には、患者番号８０１ａ、患者氏名８０１ｂ、生年月日８０１ｃ、性別８０１ｄなどの項目が設けられており、例えば、患者番号８０１ａ：“０００００１”、患者氏名８０１ｂ：“鈴木　春子”、生年月日８０１ｃ：“１９６５／０１／０１”、性別８０１ｄ：“女”のように各患者の属性が記憶されている。
【００３９】
図５は、本実施形態の投薬情報作成装置に用いられる薬剤マスタのファイル構造を示す図である。
【００４０】
図５に示すように、この薬剤マスタ８０２には、コード８０２ａ、薬剤名８０２ｂ、単価８０２ｃ、単位８０２ｄ、剤型８０２ｅ、効能８０２ｆ、換算係数８０２ｇなどの項目が設けられており、例えば、コード８０２ａ：“０００１”、薬剤名８０２ｂ：“Ａ薬”、単価８０２ｃ：“１０．０円”、単位８０２ｄ：“袋”、剤型８０２ｅ：“粉剤”、効能８０２ｆ：“炎症緩和”、換算係数８０２ｇ：“１”　のように各薬剤の属性が記憶されている。
【００４１】
なお、換算係数８０２ｇは、同一効能の薬剤の処方量を相互に換算するための係数である。
【００４２】
図６は、本実施形態の投薬情報作成装置に用いられる在庫マスタのファイル構造を示す図である。
【００４３】
図６に示すように、この在庫マスタ８０３には、コード８０３ａ、薬剤名８０３ｂ、在庫数８０３ｃ、メーカ８０３ｄなどの項目が設けられており、例えば、コード８０３ａ：“０００１”、薬剤名８０３ｂ：“Ａ薬”、在庫数８０３ｃ：“１００００”、メーカ８０３ｄ：“Ａ薬品工業”　のように各薬剤の在庫情報が記憶されている。
【００４４】
図７は、本実施形態の投薬情報作成装置に用いられる処方条件マスタのファイル構造を示す図である。
【００４５】
図７に示すように、希望剤型マスタ８０４には、患者番号８０４ａ、患者氏名８０４ｂ、希望剤型８０４ｃなどの項目が設けられており、例えば、患者番号８０４ａ：“０００００１”、患者氏名８０４ｂ：“鈴木　春子”、希望剤型８０４ｃ：“錠剤”　のように各患者の希望する剤型が記憶されている。
【００４６】
なお、図３に示す診療情報マスタ８０５は、いわゆる電子カルテに相当するものであり、各患者の病名、症状、検査結果、処置、処方などの診療情報が記憶されている。
【００４７】
次に、本実施形態の投薬情報作成装置の動作について説明する。
【００４８】
図８は、本実施形態の投薬情報作成装置の動作を示すフローチャートである。
【００４９】
先ず、投薬候補入力部５１０（図２参照）により、患者の主治医などの操作に応じて、病院情報システム（図３参照）から、その患者の診療情報が読み出され、その患者に投与する薬剤の候補となる薬剤およびその用量が入力される（ステップＳ０１）。
【００５０】
図９は、本実施形態の投薬情報作成装置により作成される投薬情報を表示する第１の表示画面である。
【００５１】
この第１の表示画面８０６には、患者番号、患者名のほかに、その患者の希望する剤型を表示する希望剤型表示欄８０６ａ、その患者に投与すべき薬剤の効能を表示する効能表示欄８０６ｂ、および投薬候補として入力された薬剤に関する情報を表示する候補薬剤表示欄８０６ｃが設けられている。
【００５２】
図８に示すフローチャートのステップＳ０１では、医師等の操作に応じて、例えば、患者番号：“０００００１”の“鈴木　春子”さんについての診療情報が読み出され、図９に示すように、この患者に投与すべき薬剤の効能が“胃炎緩和”であることが表示される。医師は、この患者に投与すべき薬剤の候補として、例えば、薬剤：“Ｄ胃腸薬（液）”、およびその用量：“１４日分、１日３回、３ｇ／回”を入力する。
【００５３】
次に、ステップＳ０２において、希望剤型マスタ８０４（図４参照）が参照され、その患者の希望剤型が設定済みか否かが判定される（ステップＳ０２）。
【００５４】
この例では、図７に示すように、希望剤型マスタ８０４には、“鈴木　春子”さんの希望剤型が“錠剤”であることが記憶されているので、ステップＳ０２における判定の結果、患者の希望剤型は設定済みであると判定され、ステップＳ０３に進み、薬剤マスタ８０２（図５参照）を参照し、投薬候補の薬剤と同様の効能、すなわち、“胃炎緩和”を有し、かつ患者が希望する剤型、すなわち、“錠剤”の薬剤を検索する（ステップＳ０３）。検索の結果、薬剤マスタ８０２に希望の剤型の薬剤が存在しているか否かを判定し（ステップＳ０４）、存在している場合はステップＳ０６に進み、存在していない場合はステップＳ０５に進む。
【００５５】
一方、ステップＳ０２における判定の結果、患者の希望剤型が未設定である場合はステップＳ０５に進む。
【００５６】
ステップＳ０５では、薬剤マスタ８０２（図５参照）が参照され、投薬候補の薬剤と同様の効能を有する薬剤が抽出され、ステップＳ０５に進む。
【００５７】
ステップＳ０６では、ステップＳ０５で抽出された薬剤について、処方量およびその単価を基に価格が算出される。
【００５８】
図１０は、本実施形態の投薬情報作成装置により作成される投薬情報を表示する第２の表示画面である。
【００５９】
この第２の表示画面８０７には、図９に示した第１の表示画面８０６と同様、患者番号、患者名のほか、希望剤型を表示する希望剤型表示欄８０７ａ、効能を表示する効能表示欄８０７ｂ、投薬候補として挙げられた薬剤に関する情報を表示する候補薬剤表示欄８０７ｃ、および投薬情報作成の過程で抽出されあるいは選定される薬剤に関する情報を表示する選定薬剤表示欄８０７ｄが設けられている。
【００６０】
図８に示すフローチャートのステップＳ０５において、図１０に示すように、患者番号：“０００００１”の“鈴木　春子”さんの希望する剤型である“錠剤”であり、かつ、投薬候補の薬剤（“Ｄ胃腸薬（液）”）と同様の効能を有する薬剤：“Ｂ胃腸薬（錠）”および“Ｃ胃腸薬（錠）”の２つの薬剤が抽出され、選定薬剤表示欄８０７ｄに表示される。
【００６１】
ここで、投薬候補の薬剤および抽出された２つの薬剤は、それぞれ換算係数８０２ｇ（図５参照）が異なるので、抽出された２つの薬剤について、投薬候補の薬剤の効能に相当する処方量が計算され、それに基づいて合計の価格が算出され、選定薬剤表示欄８０７ｄに表示される。
【００６２】
その結果、図１０の選定薬剤表示欄８０７ｄに示すように、“Ｂ胃腸薬（錠）”の１４日分の合計の価格：“１６８円”、および、“Ｃ胃腸薬（錠）”の１４日分の合計の価格：“１６８円”が表示される。
【００６３】
次に、図８のフローチャートのステップＳ０７において、上記２つの薬剤の価格の比較が行われ、最低価格の薬剤が抽出される（ステップＳ０７）。
【００６４】
次に、ステップＳ０８において、最低価格の薬剤が複数あるか否かが判定される。この例では、“Ｂ胃腸薬（錠）”と“Ｃ胃腸薬（錠）”がともに最低価格であるので、ステップＳ０９に進み、在庫量の比較が行われ、在庫の多い方の薬剤が選定され（ステップＳ１０）、次にステップＳ１１に進む。この例では、図６に示すように、在庫マスタ８０３には、“Ｂ胃腸薬（錠）”の在庫数８０３ｃは“４５０”であり、“Ｃ胃腸薬（錠）”の在庫数８０３ｃは“５００”であるので“Ｃ胃腸薬（錠）”の方が選定される。
【００６５】
なお、ステップＳ０８において最低価格の薬剤が１つしかないと判定された場合には直接ステップＳ１１に進む。
【００６６】
ステップＳ１１においては、上記のようにして抽出されあるいは選定された薬剤についての投薬情報が作成され、次の表示画面上に表示される。
【００６７】
図１１は、本実施形態の投薬情報作成装置により作成される投薬情報を表示する第３の表示画面である。
【００６８】
図１１に示すように、この第３の表示画面８０８には、患者番号：０００００１の鈴木　春子さんについて作成された投薬情報のうち、希望剤型を表示する希望剤型表示欄８０８ａ、効能を表示する効能表示欄８０８ｂ、候補として挙げられた薬剤に関する情報を表示する候補薬剤表示欄８０８ｃ、および上記のようにして抽出されあるいは選定された薬剤に関する情報を表示する選定薬剤表示欄８０８ｄが設けられている。
【００６９】
また、この第３の表示画面８０８には、「振替」ボタン８０８ｅ、「変更なし」ボタン８０８ｆが設けられており、選定薬剤表示欄８０８ｄに表示された表示内容でよいということになった場合は、「振替」ボタン８０８ａを押下することにより、選定薬剤表示欄８０８ｄに表示された薬剤に関する情報が、候補薬剤表示欄８０８ｃに表示された薬剤に関する情報と振り替えられ、病院情報システム（図３参照）における投薬情報として使用される。
【００７０】
「変更なし」ボタン８０８ｆは、選定薬剤表示欄８０８ｄに表示された表示内容では満足できない場合に、このボタンを押下することにより、投薬情報の作成処理を最初からあるいは途中からやり直すことができるようになっている。
【００７１】
この第３の表示画面８０８は、薬剤を処方する医師のみではなく、必要に応じて患者またはその家族に提示することにより、いわゆるインフォームドコンセントを形成するために用いることができる。
【００７２】
なお、上記の在庫量に基づく薬剤の選定にあたり、最低価格の薬剤の在庫がない場合に、同じ効能を有する他の薬剤に変更することができるように投薬情報作成装置を構成してもよい。
【００７３】
また、薬剤の選定に先立ち、予め薬品メーカを指定しておき、その薬品メーカの薬剤のみを抽出するように投薬情報作成装置を構成してもよい。
【００７４】
次に、本発明の投薬情報作成プログラム記憶媒体の実施形態について説明する。
【００７５】
図１２は、本発明の投薬情報作成装置の一実施形態である投薬情報作成プログラム記憶媒体の概略構成図である。
【００７６】
この投薬情報作成プログラム記憶媒体９１０は、コンピュータを、患者に投与する薬剤に関する投薬情報を作成する投薬情報作成装置として動作させる投薬情報作成プログラム９１１を記憶する記憶媒体であって、その投薬情報作成プログラム９１１は、投薬候補入力部９１２と、薬剤抽出部９１３と、薬剤選択部９１４とを有する。
【００７７】
投薬候補入力部９１２は、所定の患者に投与する薬剤の候補となる薬剤の名称および用量を入力するものであり、薬剤抽出部９１３は、患者を診療する医療機関で取り扱う薬剤の名称、剤型、価格、および効能を含む薬剤情報が記憶された薬剤情報記憶部から、投薬候補入力部９１２により入力された候補薬剤と同等の効能を有する薬剤を抽出するものであり、薬剤選択部９１４は、薬剤抽出部９１３により抽出された薬剤の中から、価格の安い薬剤を選択するものである。
【００７８】
これらの投薬候補入力部９１２、薬剤抽出部９１３、および薬剤選択部９１４は、図２に示した投薬情報作成装置５００における投薬候補入力部５１０、薬剤抽出部５２０、および薬剤選択部５３０と同様の構成および同様の作用効果を有するものであるので、詳細な説明は省略する。
【００７９】
以下、本発明の各種の形態について付記する。
【００８０】
（付記１）　患者に投与する薬剤に関する投薬情報を作成する投薬情報作成装置において、
所定の患者に投与する薬剤の候補となる候補薬剤および用量を入力する投薬候補入力部と、
前記患者を診療する医療機関で取り扱う薬剤の少なくとも価格および効能を含む薬剤情報を記憶する薬剤情報記憶部と、
前記薬剤情報記憶部に薬剤情報が記憶された薬剤の中から、前記投薬候補入力部により入力された候補薬剤と同等の効能を有する薬剤を抽出する薬剤抽出部と、
前記薬剤抽出部により抽出された薬剤のうちの、前記投薬候補入力部で入力された候補薬剤の価格よりも安い価格の薬剤を、該候補薬剤に替わる候補として選択する薬剤選択部とを備えたことを特徴とする投薬情報作成装置。
【００８１】
（付記２）　前記薬剤情報記憶部が、薬剤の剤型をも含む薬剤情報を記憶するものであり、
前記薬剤抽出部は、薬剤を抽出するに当たり、前記投薬候補入力部により入力された候補薬剤と同等の効能を有するとともに、前記患者の希望する剤型と同じ剤型を有する薬剤を抽出するものであることを特徴とする付記１記載の投薬情報作成装置。
【００８２】
（付記３）　前記薬剤情報記憶部に記憶された薬剤の在庫量を記憶する在庫量記憶部を備え、
前記薬剤選択部が、候補薬剤を選択するに当たり、価格と、前記在庫量記憶部に記憶された在庫量とに基づいて薬剤を選択するものであることを特徴とする付記１記載の投薬情報作成装置。
【００８３】
（付記４）　操作に応じて、前記薬剤選択部により選択された薬剤のうち前記患者に投与する薬剤を決定し、決定した薬剤に基づき、該患者に投与する薬剤に関する投薬情報を作成する投薬情報作成部を備えたことを特徴とする付記１記載の投薬情報作成装置。
【００８４】
（付記５）　コンピュータを、患者に投与する薬剤に関する投薬情報を作成する投薬情報作成装置として動作させる投薬情報作成プログラムにおいて、
所定の患者に投与する薬剤の候補となる薬剤の名称および用量を入力する投薬候補入力部と、
前記患者を診療する医療機関で取り扱う薬剤の名称、剤型、価格、および効能を含む薬剤情報が記憶された薬剤情報記憶部から、前記投薬候補入力部により入力された候補薬剤と同等の効能を有する薬剤を抽出する薬剤抽出部と、
前記薬剤抽出部により抽出された薬剤の中から、価格の安い薬剤を選択する薬剤選択部とを有することを特徴とする投薬情報作成プログラム。
【００８５】
（付記６）　コンピュータを、患者に対して行う予定の診療内容および日程を定めた診療計画を策定する投薬情報作成装置として動作させる投薬情報作成プログラムを記憶する投薬情報作成プログラム記憶媒体において、
前記投薬情報作成プログラムが、
所定の患者に投与する薬剤の候補となる薬剤の名称および用量を入力する投薬候補入力部と、
前記患者を診療する医療機関で取り扱う薬剤の名称、剤型、価格、および効能を含む薬剤情報が記憶された薬剤情報記憶部から、前記投薬候補入力部により入力された候補薬剤と同等の効能を有する薬剤を抽出する薬剤抽出部と、
前記薬剤抽出部により抽出された薬剤の中から、価格の安い薬剤を選択する薬剤選択部とを有するものであることを特徴とする投薬情報作成プログラム記憶媒体。
【００８６】
【発明の効果】
以上、説明したように、本発明の投薬情報作成装置によれば、上記のような投薬候補入力部、薬剤情報記憶部、薬剤抽出部、および薬剤選択部を備えことにより、患者および医療機関にとって有用な価格に関する情報が付加された投薬情報を得ることのできる投薬情報作成装置を実現することができる。これにより、患者の負担を軽減することが可能になるとともに、病院経営上からも、また国の医療費低減という観点からも大きな効果が期待できる。
【００８７】
また、上記薬剤情報記憶部が、薬剤の剤型をも含む薬剤情報を記憶するものであり、上記薬剤抽出部が、薬剤を抽出するに当たり、上記投薬候補入力部により入力された候補薬剤と同等の効能を有するとともに、上記患者の希望する剤型と同じ剤型を有する薬剤を抽出するものとした場合は、患者の希望する剤型の薬剤を投薬することができるので、患者の満足度を向上させることができる。
【００８８】
また、この投薬情報作成装置が上記薬剤情報記憶部に記憶された薬剤の在庫量を記憶する在庫量記憶部を備え、上記薬剤選択部が、候補薬剤を選択するに当たり、価格と、上記在庫量記憶部に記憶された在庫量とに基づいて薬剤を選択するものとした場合は、病院の薬剤在庫をも加味した投薬情報を作成することができるので、病院の経営管理上も有効である。
【図面の簡単な説明】
【図１】本発明の投薬情報作成装置の一実施形態が運用されるコンピュータシステムの概要図である。
【図２】本発明の投薬情報作成装置の一実施形態を示す概略構成図である。
【図３】本実施形態の投薬情報作成装置を含む病院情報システムの全体図である。
【図４】本実施形態の投薬情報作成装置に用いられる患者マスタのファイル構造を示す図である。
【図５】本実施形態の投薬情報作成装置に用いられる薬剤マスタのファイル構造を示す図である。
【図６】本実施形態の投薬情報作成装置に用いられる在庫マスタのファイル構造を示す図である。
【図７】本実施形態の投薬情報作成装置に用いられる処方条件マスタのファイル構造を示す図である。
【図８】本実施形態の投薬情報作成装置の動作を示すフローチャートである。
【図９】本実施形態の投薬情報作成装置により作成される投薬情報を表示する第１の表示画面である。
【図１０】本実施形態の投薬情報作成装置により作成される投薬情報を表示する第２の表示画面である。
【図１１】本実施形態の投薬情報作成装置により作成される投薬情報を表示する第３の表示画面である。
【図１２】本発明の投薬情報作成装置の一実施形態である投薬情報作成プログラム記憶媒体の概略構成図である。
【符号の説明】
１００，３００，３１０，３２０　　コンピュータ
１０１，３０１，３１１，３２１　　コンピュータ本体
１０１ａ　　ＣＤ−ＲＯＭ挿入口
１０２，３０２，３１２，３２２　　表示装置
１０３，３０３，３１３，３２３　　キーボード
１０４，３０４，３１４，３２４　　マウス
１９０　　ネットワーク
４００　　ＣＤ−ＲＯＭ
５００，５００’，５００”　　投薬情報作成装置
５１０　　投薬候補入力部
５２０　　薬剤情報記憶部
５３０　　薬剤抽出部
５４０　　薬剤選択部
５５０　　在庫量記憶部
５６０　　投薬情報作成部
８０１　　患者マスタ
８０１ａ　　患者番号
８０１ｂ　　患者氏名
８０１ｃ　　生年月日
８０１ｄ　　性別
８０２　　薬剤マスタ
８０２ａ　　コード
８０２ｂ　　薬剤名
８０２ｃ　　単価
８０２ｄ　　単位
８０２ｅ　　剤型
８０２ｆ　　効能
８０２ｇ　　換算係数
８０３　　在庫マスタ
８０３ａ　　コード
８０３ｂ　　薬剤名
８０３ｃ　　在庫数
８０３ｄ　　メーカ
８０４　　希望剤型マスタ
８０４ａ　　患者番号
８０４ｂ　　患者氏名
８０４ｃ　　希望剤型
８０５　　診療情報マスタ
８０６，８０７，８０８　　　　表示画面
８０６ａ，８０７ａ，８０８ａ　　希望剤型表示欄
８０６ｂ，８０７ｂ，８０８ｂ　　効能表示欄
８０６ｃ，８０７ｃ，８０８ｃ　　候補薬剤表示欄
８０６ｄ，８０７ｄ，８０８ｄ　　選定薬剤表示欄
８０８ｅ　　「振替」ボタン
８０８ｆ　　「変更なし」ボタン
９００　　投薬情報作成プログラム
９０１　　投薬候補入力部
９０２　　薬剤抽出部
９０３　　薬剤選択部
９１０　　投薬情報作成プログラム記憶媒体
９１１　　投薬情報作成プログラム
９１２　　投薬候補入力部
９１３　　薬剤抽出部
９１４　　薬剤選択部
【図１】
2004118663.tif 000003
【図２】
2004118663.tif 000004
【図３】
2004118663.tif 000005
【図４】
2004118663.tif 000006
【図５】
2004118663.tif 000007
【図６】
2004118663.tif 000008
【図７】
2004118663.tif 000009
【図８】
2004118663.tif 000010
【図９】
2004118663.tif 000011
【図１０】
2004118663.tif 000012
【図１１】
2004118663.tif 000013
【図１２】
2004118663.tif 000014